【手続補正書】
【提出日】平成22年3月16日(2010.3.16)
【手続補正１】
【補正対象書類名】特許請求の範囲
【補正対象項目名】全文
【補正方法】変更
【補正の内容】
【特許請求の範囲】
【請求項１】
入力した画像ファイルに格納された画像データに色変換を実行する画像処理装置であって、
画像データの色変換に利用された色調整パラメータから、第１の色変換用データと、当該第１の色変換用データより高次元の第２の色変換用データとを生成する生成手段と、
前記生成手段により生成された前記第１及び第２の色変換用データを記憶する記憶手段と、
前記記憶手段に記憶されている前記第１の色変換用データと、前記入力した画像ファイルから取り出した色変換用データとを比較する比較手段と、
前記記憶手段に前記画像ファイルから取り出した色変換用データと同じものがあれば、当該画像ファイルから取り出した色変換用データと同じとされた前記第１の色変換用データと同時に生成された第２の色変換用データを利用して色変換を実行し、同じものがないならば、前記画像ファイルに格納された色変換用データを利用して色変換を実行する色変換手段と、を有することを特徴とする画像処理装置。
【請求項２】
前記画像ファイルには、被写体の画像を撮影する撮像装置で画像データを生成する際に色変換に利用された色変換用データと、画像のＲＡＷデータが格納されていることを特徴とする請求項１に記載の画像処理装置。
【請求項３】
前記記憶手段に記憶されている色変換用データから、前記撮像装置に転送する第１の色変換用データを選択する選択手段と、
選択された前記第１の色変換用データを前記撮像装置に転送する転送手段と、を更に備えることを特徴とする請求項２に記載の画像処理装置。
【請求項４】
前記色変換に利用するパラメータを設定する設定手段と、
色変換前及び色変換後のそれぞれの画像データと、当該色変換に利用されたパラメータとを表示する表示手段と、を更に備えることを特徴とする請求項１乃至３のいずれか１項に記載の画像処理装置。
【請求項５】
前記色変換用データは、３次元格子点データであることを特徴とする請求項１乃至４のいずれか１項に記載の画像処理装置。
【請求項６】
入力した画像ファイルに格納された画像データに色変換を実行する画像処理装置の画像処理方法であって、
前記画像処理装置の生成手段が、画像データの色変換に利用された色調整パラメータから、第１の色変換用データと、当該第１の色変換用データより高次元の第２の色変換用データとを生成するステップと、
前記画像処理装置の記憶手段が、前記生成手段により生成された前記第１及び第２の色変換用データを記憶するステップと、
前記画像処理装置の比較手段が、前記記憶手段に記憶されている前記第１の色変換用データと、前記入力した画像ファイルから取り出した色変換用データとを比較するステップと、
前記画像処理装置の色変換手段が、前記記憶手段に前記画像ファイルから取り出した色変換用データと同じものがあれば、当該画像ファイルから取り出した色変換用データと同じとされた前記第１の色変換用データと同時に生成された第２の色変換用データを利用して色変換を実行し、同じものがないならば、前記画像ファイルに格納された色変換用データを利用して色変換を実行するステップと、を有することを特徴とする画像処理方法。
【請求項７】
前記画像ファイルには、被写体の画像を撮影する撮像装置で画像データを生成する際に色変換に利用された色変換用データと、画像のＲＡＷデータが格納されていることを特徴とする請求項６に記載の画像処理方法。
【請求項８】
前記画像処理装置の選択手段が、前記記憶手段に記憶されている色変換用データから、前記撮像装置に転送する第１の色変換用データを選択するステップと、
前記画像処理装置の転送手段が、前記選択手段により選択された前記第１の色変換用データを前記撮像装置に転送するステップと、を更に備えることを特徴とする請求項７に記載の画像処理方法。
【請求項９】
前記画像処理装置の設定手段が、前記色変換に利用するパラメータを設定するステップと、
前記画像処理装置の表示手段が、色変換前及び色変換後のそれぞれの画像データと、当該色変換に利用されたパラメータとを表示するステップと、を更に備えることを特徴とする請求項６乃至８のいずれか１項に記載の画像処理方法。
【請求項１０】
前記色変換用データは、３次元格子点データであることを特徴とする請求項６乃至９のいずれか１項に記載の画像処理方法。
【請求項１１】
撮像装置と画像処理装置とが通信可能に接続された画像処理システムであって、
前記画像処理装置は、
前記撮像装置から入力した画像データに色変換を実行する色変換手段と、
前記色変換手段の色変換に利用されたパラメータに基づいて、第１の色変換用データと、当該第１の色変換用データより精度の高い第２の色変換用データとを生成する生成手段と、
前記生成手段により生成された前記第１及び第２の色変換用データを記憶する記憶手段と、
前記記憶手段に記憶された色変換用データから、前記撮像装置に転送する第１の色変換用データを選択する選択手段と、
選択された前記第１の色変換用データを前記撮像装置に転送する転送手段と、を有し、
前記撮像装置は、
前記画像処理装置から転送された第１の色変換用データに従って画像データの色変換を実行し、当該第１の色変換用データを格納した画像ファイルを生成する手段を有することを特徴とする画像処理システム。
【請求項１２】
請求項６乃至１０のいずれか１項に記載の画像処理方法をコンピュータに実行させるためのプログラム。
【請求項１３】
請求項１２に記載のプログラムを記憶したことを特徴とするコンピュータによる読み取り可能な記憶媒体。
【手続補正２】
【補正対象書類名】明細書
【補正対象項目名】０００６
【補正方法】変更
【補正の内容】
【０００６】
上記課題を解決し、目的を達成するために、本発明の画像処理装置は、入力した画像ファイルに格納された画像データに色変換を実行する画像処理装置であって、画像データの色変換に利用された色調整パラメータから、第１の色変換用データと、当該第１の色変換用データより高次元の第２の色変換用データとを生成する生成手段と、前記生成手段により生成された前記第１及び第２の色変換用データを記憶する記憶手段と、前記記憶手段に記憶されている前記第１の色変換用データと、前記入力した画像ファイルから取り出した色変換用データとを比較する比較手段と、前記記憶手段に前記画像ファイルから取り出した色変換用データと同じものがあれば、当該画像ファイルから取り出した色変換用データと同じとされた前記第１の色変換用データと同時に生成された第２の色変換用データを利用して色変換を実行し、同じものがないならば、前記画像ファイルに格納された色変換用データを利用して色変換を実行する色変換手段と、を有する。
【手続補正３】
【補正対象書類名】明細書
【補正対象項目名】０００７
【補正方法】変更
【補正の内容】
【０００７】
また、本発明の画像処理方法は、入力した画像ファイルに格納された画像データに色変換を実行する画像処理装置の画像処理方法であって、前記画像処理装置の生成手段が、画像データの色変換に利用された色調整パラメータから、第１の色変換用データと、当該第１の色変換用データより高次元の第２の色変換用データとを生成するステップと、前記画像処理装置の記憶手段が、前記生成手段により生成された前記第１及び第２の色変換用データを記憶するステップと、前記画像処理装置の比較手段が、前記記憶手段に記憶されている前記第１の色変換用データと、前記入力した画像ファイルから取り出した色変換用データとを比較するステップと、前記画像処理装置の色変換手段が、前記記憶手段に前記画像ファイルから取り出した色変換用データと同じものがあれば、当該画像ファイルから取り出した色変換用データと同じとされた前記第１の色変換用データと同時に生成された第２の色変換用データを利用して色変換を実行し、同じものがないならば、前記画像ファイルに格納された色変換用データを利用して色変換を実行するステップと、を有する。